(57)【要約】【課題】自己認証率を維持しつつ、認証時間を短縮できる生体認証装置を提供する。【解決手段】生体認証装置１は、被検体の皮膚表面パターン画像及び静脈パターン画像を撮像するべく、被検体に光を照射する光源部１００と、被検体の皮膚表面パターン画像及び静脈パターン画像を撮像する撮像部２００と、撮像した被検体の皮膚表面パターン画像と、テンプレートとの相対的な位置を評価する評価部４０２と、評価部４０２の評価結果に基づいて、少なくとも撮像した被検体の静脈パターン画像と、テンプレートとを比較して認証する認証部５００と、を備える。【選択図】図３
2010015365.tif 000002
【特許請求の範囲】
【請求項１】
被検体に光を照射して撮像した画像と、前記被検体のテンプレートとを比較して認証する生体認証装置であって、
前記被検体の皮膚表面パターン画像及び静脈パターン画像を撮像するべく、前記被検体に光を照射する光源部と、
前記被検体の皮膚表面パターン画像及び静脈パターン画像を撮像する撮像部と、
前記撮像した被検体の皮膚表面パターン画像と、前記テンプレートとの相対的な位置を評価する評価部と、
前記評価部の評価結果に基づいて、少なくとも前記撮像した被検体の静脈パターン画像と、前記テンプレートとを比較して認証する認証部と、
を備える生体認証装置。
【請求項２】
前記光源部は、可視光を出射する第１の光源と、近赤外光を出射する第２の光源とを備えることを特徴とする請求項１に記載の生体認証装置。
【請求項３】
前記撮像部は１列以上の画素列を有し、駆動部によって前記画素列と交差する方向に移動することを特徴とする請求項１又は２に記載の生体認証装置。
【請求項４】
前記被検体は指であって、前記評価部は前記皮膚表面パターンの関節線を起点として、前記皮膚表面パターン画像と前記テンプレートとの相対的な位置を評価することを特徴とする請求項１乃至３のいずれか１項に記載の生体認証装置。
【請求項５】
請求項１乃至４のいずれか１項に記載の生体認証装置を備える電子機器。
【請求項６】
被検体に光を照射して撮像した画像と、前記被検体のテンプレートとを比較して認証する生体認証方法であって、
光源部が前記被検体に光を照射し、前記被検体の静脈パターン画像を撮像部で撮像する工程と、
光源部が前記被検体に光を照射し、前記被検体の皮膚表面パターン画像を撮像部で撮像する工程と、
評価部が前記皮膚表面パターン画像と前記テンプレートとの相対的な位置を評価する工程と、
認証部が、前記評価部の評価結果に基づいて、少なくとも前記静脈パターン画像と前記テンプレートとを比較して認証する工程と、
を備える生体認証方法。
【請求項７】
前記被検体は指であって、前記評価部は前記皮膚表面パターン画像の関節線を起点として、前記皮膚表面パターン画像と前記テンプレートとの相対的な位置を評価することを特徴とする請求項６に記載の生体認証方法。
【請求項８】
前記撮像部は、駆動部によって前記撮像部が有する画素列と交差する方向に往復し、
往路において、前記皮膚正面パターン画像を撮像し、
復路において、前記静脈パターン画像を撮像することを特徴とする請求項６又は７に記載の生体認証方法。
【請求項９】
前記撮像部は、駆動部によって前記撮像部が有する画素列と交差する方向に移動し、
光源部によって指の側部近傍に光を照射して、前記指の側部近傍の皮膚表面パターン画像を撮像し、
光源部によって指の他の部分に光を照射して、前記指の他の部分の静脈パターン画像を撮像することを特徴とする請求項６又は７に記載の生体認証方法。
【発明の詳細な説明】
【技術分野】
【０００１】
本発明は、生体認証装置及び生体認証方法、並びに前記生体認証装置を備える電子機器に関する。
【背景技術】
【０００２】
近年、被検体に光を照射して撮像した画像と、前記被検体のテンプレートとを比較して認証する技術が盛んに開発されている。当該技術の一種である生体認証は、ヒトの瞳の虹彩に基づいて個体を特定する方法、ヒトの指等の静脈パターンに基づいて個体を特定する方法、及び指の指紋パターンに基づいて個体を特定する方法が挙げられる。なかでも、ヒトの指等の静脈パターンを利用した生体認証は、パターン画像の偽造が困難であり、高いセキュリティーを確保することができる。
【０００３】
しかし、静脈パターンを撮像する際に生体認証装置に対する指の配置によって、撮像した静脈パターン画像を上下左右、回転方向に補正する必要が生じる。
【０００４】
そこで、特許文献１には、赤外線光を指に照射して撮像した画像から指の輪郭を検出し、この輪郭情報に基づいて画像を平行方向又は平面内の回転方向の向きに補正する生体認証装置が開示されている。
【特許文献１】特開２００８−６５５７０号公報
【発明の開示】
【発明が解決しようとする課題】
【０００５】
特許文献１の生体認証装置は、赤外線光を指に照射して撮像した画像にエッジ処理を施して、指の輪郭を検出している。しかし、赤外線光を指に照射して撮像した画像は、指の周縁部分が不鮮明であるため、エッジ処理を施したとしても、正確な指の輪郭を検出することができない。また、指の節（関節部）の太さが他の部分と殆ど変わりなく、輪郭の特徴的部分が明瞭に現れない場合もある。したがって、画像の補正が難しく、自己認証率が低下したり、認証に時間かかかる課題がある。
【０００６】
しかも、電子機器の一種である携帯電話等に生体認証装置を搭載した場合には、取得できる画像が小さく、指の周縁部分までを含めた画像を撮像することができない。したがって、やはり画像の補正が難しく、自己認証率が低下したり、認証に時間かかかる課題がある。
【０００７】
本発明は、自己認証率を維持しつつ、認証時間を短縮できる生体認証装置及び生体認証方法、並びに前記生体認証装置を備えた電子機器を提供することを目的とする。
【課題を解決するための手段】
【０００８】
本発明に係る生体認証装置は、被検体に光を照射して撮像した画像と、前記被検体のテンプレートとを比較して認証する生体認証装置であって、前記被検体の皮膚表面パターン画像及び静脈パターン画像を撮像するべく、前記被検体に光を照射する光源部と、前記被検体の皮膚表面パターン画像及び静脈パターン画像を撮像する撮像部と、前記撮像した被検体の皮膚表面パターン画像と、前記テンプレートとの相対的な位置を評価する評価部と、前記評価部の評価結果に基づいて、少なくとも前記撮像した被検体の静脈パターン画像と、前記テンプレートとを比較して認証する認証部と、を備える。比較的起点を取りやすい皮膚表面パターン画像を用いて静脈パターン画像を補正するので、静脈パターン画像の補正が容易で、認証アルゴリズムの簡便化に寄与する。
【０００９】
上述の光源部は、可視光を出射する第１の光源と、近赤外光を出射する第２の光源とを備えることが好ましい。
【００１０】
上述の撮像部は１列以上の画素列を有し、駆動部によって前記画素列と交差する方向に移動することが好ましい。画素列を移動させて画像を順次撮像するので、撮像する画像に応じた領域全域に画素を配置する必要がなく、安価に画像を撮像することができる。
【００１１】
上述の被検体は指であって、前記評価部は前記皮膚表面パターンの関節線を起点として、前記皮膚表面パターン画像と前記テンプレートとの相対的な位置を評価することが好ましい。指の関節線は、比較的水平で且つ取得しやすいので、画像の補正の起点として良好に用いることができる。そのため、画像の補正が容易で、自己認証率を維持しつつ、認証時間を短縮できる。
【００１２】
本発明に係る電子機器は、請求項１乃至４のいずれか１項に記載の生体認証装置を備える。比較的起点を取りやすい皮膚表面パターン画像を用いて静脈パターン画像を補正するので、静脈パターン画像の補正が容易で、認証アルゴリズムの簡便化に寄与する。
【００１３】
本発明に係る生体認証方法は、被検体に光を照射して撮像した画像と、前記被検体のテンプレートとを比較して認証する生体認証方法であって、光源部が前記被検体に光を照射し、前記被検体の静脈パターン画像を撮像部で撮像する工程と、光源部が前記被検体に光を照射し、前記被検体の皮膚表面パターン画像を撮像部で撮像する工程と、評価部が前記皮膚表面パターン画像と前記テンプレートとの相対的な位置を評価する工程と、認証部が、前記評価部の評価結果に基づいて、少なくとも前記静脈パターン画像と前記テンプレートとを比較して認証する工程と、を備える。比較的起点を取りやすい皮膚表面パターン画像を用いて静脈パターン画像を補正するので、静脈パターン画像の補正が容易で、認証アルゴリズムの簡便化に寄与する。
【００１４】
上述の被検体は指であって、前記評価部は前記皮膚表面パターン画像の関節線を起点として、前記皮膚表面パターン画像と前記テンプレートとの相対的な位置を評価することが好ましい。指の関節線は、比較的水平で且つ取得しやすいので、画像の補正の起点として良好に用いることができる。そのため、画像の補正が容易で、自己認証率を維持しつつ、認証時間を短縮できる。
【００１５】
上述の撮像部は、駆動部によって前記撮像部が有する画素列と交差する方向に往復し、往路において、前記皮膚正面パターン画像を撮像し、復路において、前記静脈パターン画像を撮像することが好ましい。少ない画素数で認証に有効な生体情報取得画像を安価に効率良く形成することができる。
【００１６】
または上述の撮像部は、駆動部によって前記撮像部が有する画素列と交差する方向に移動し、光源部によって指の側部近傍に光を照射して、前記指の側部近傍の皮膚表面パターン画像を撮像し、光源部によって指の他の部分に光を照射して、前記指の他の部分の静脈パターン画像を撮像することが好ましい。少ない画素数で認証に有効な生体情報取得画像を安価に効率良く形成することができる。
【発明の効果】
【００１７】
本発明によれば、自己認証率を維持しつつ、認証時間を短縮できる。
【発明を実施するための最良の形態】
【００１８】
以下、図面を参照しつつ、本発明の実施の形態について説明する。なお、各実施の形態は、説明の便宜上、簡略化されている。図面は簡略的なものであるから、図面の記載を根拠として本発明の技術的範囲を狭く解釈してはならない。図面は、もっぱら技術的事項の説明のためのものであり、図面に示された要素の正確な大きさ等は反映していない。同一の要素には、同一の符号を付し、重複する説明は省略するものとする。上下左右といった方向を示す言葉は、図面を正面視した場合を前提として用いるものとする。
【００１９】
＜実施形態１＞
本発明に係る生体認証装置及び生体認証方法、並びに前記生体認証装置を備えた電子機器の実施形態１について、図１乃至図１０を用いて説明する。
【００２０】
本実施形態の生体認証装置１は、図１に示すように、被検体として指２に光を照射して撮像した画像から取得した生体情報と、予め登録しておいた指２の生体情報のテンプレートとを比較して認証する生体認証装置である。この生体認証装置１は、電子機器の一種である携帯電話３に搭載している。ちなみに、携帯電話３は、図２に示すように、通例の折り畳み式の携帯電話であって、上側本体４、下側本体５、ヒンジ６を備えている。上側本体４は、その内面に表示部７を備えており、外面には、表面領域４ａ、表示領域４ｂを備えている。表面領域４ａの下には、生体認証装置１を備えている。表示領域４ｂには、文字（時間、動作状態、着信相手名など）が表示される液晶表示装置を備えている。下側本体５は、その内面にテンキー８等を備えている。但し、生体認証装置１は、携帯電話３に限られず、パーソナルコンピュータ、銀行のＡＴＭ（Automated Teller Machine）などに好適に用いることができる。
【００２１】
この生体認証装置１は、図３に示すように、光源部１００、撮像部２００、駆動部３００、処理部４００、認証部５００、記憶部６００を備えている。
【００２２】
前記光源部１００は、近赤外光を出射する第１の光源１００ａ、可視光を出射する第２の光源１００ｂを備えている。
第１の光源１００ａは、近赤外光を出射する半導体発光素子（LED(Light Emitting Diode)、以下、第１の光源１００ａと同一の符号を付する。）を好適に用いることができる。但し、第１の光源１００ａは、近赤外光を出射する半導体レーザ素子（LD(Laser Diode)）でも良い。ＬＥＤ１００ａに電流を流すことによって、ＬＥＤ１００ａは近赤外光（波長：５８０ｎｍ〜１０００ｎｍ、より好ましくは波長：６００ｎｍ〜８６０ｎｍ）を指２に照射する。このＬＥＤ１００ａは、図１に示すように、上方に向かって近赤外光を出射するように駆動部３００に設けている。
【００２３】
第２の光源１００ｂは、可視光を出射するＬＥＤ（以下、第２の光源１００ｂと同一の符号を付する。）を好適に用いることができる。但し、第２の光源１００ｂはＬＤでも良い。ＬＥＤ１００ｂに電流を流すことによって、ＬＥＤ１００ｂは可視光(波長：４００ｎｍ〜８００ｎｍ、より好ましくは波長：５００ｎｍ〜６５０ｎｍ)を指２に照射する。このＬＥＤ１００ｂも、図１に示すように、上方に向かって可視光を出射するように駆動部３００に設けている。
【００２４】
撮像部２００は、図４に示すように、ラインセンサー２０１上に光学機能部２０２が積層された光学部品である。
ラインセンサー２０１は、複数の画素ＰＸが所定の間隔をあけて順次配置された画素列を備えたＣＣＤ（Charge Coupled Device）イメージセンサーやＣＭＯＳ（Complementary Metal Oxide Semiconductor）イメージセンサーなどの半導体を用いた固体イメージセンサーである。
【００２５】
光学機能部２０２は、光チャネル分離層２０３、マイクロレンズアレイ２０４、バンドパスフィルタ２０５が、この順で下方から上方へ配置されている。
バンドパスフィルタ（フィルタ部材）２０５は、ＬＥＤ１００ａ、１００ｂからの出射光（以下、単に検査光という場合がある。）以外の外乱光を遮断する板状の光学部材である。
【００２６】
マイクロレンズアレイ２０４は、透明基板２０６、レンズ（集光レンズ）２０７を備えている。なお、バンドパスフィルタ２０５を支持するスペーサ層２０８が透明基板２０６の上面に配置されている。
【００２７】
複数のレンズ２０７は、図５に示すように、ラインセンサー２０１の各画素ＰＸに対応してライン状に配置されている。レンズ２０７の光軸上に画素ＰＸが配置されている。レンズ２０７の上面視形状は四角形である。
【００２８】
透明基板２０６及びレンズ２０７は、検査光に対して、実質的に透明な材料からなる。透明基板２０６は、石英基板である。レンズ２０７は、透明基板２０６に形成されたレジスト層が、グレイスケールマスクを用いたホトリソグラフィーにより部分的に除去されて形成される光学部品である。
【００２９】
光チャネル分離層２０３は、遮光膜２０９、第１透明層２１０、第２透明層２１１、レジスト層２１２を備えている。
遮光膜２０９は、通常の半導体プロセス技術（スパッタ、蒸着等）に基づいて、金属材料がマイクロレンズアレイ２０４の下面に格子状に形成された層である。遮光膜２０９は、マイクロレンズアレイ２０４の各レンズ２０７に対応してマトリクス状に形成された複数の開口部ＯＰ１を有する。尚、複数の開口部ＯＰ１とは、光学的な意味での開口を意味する。ここでは、開口部ＯＰ１には、第１透明層２１０が充填されている。
【００３０】
第１透明層２１０は、レジスト（樹脂材料）からなる層であって、検査光に対して実質的に透明である。第１透明層２１０は、通常のコート法（スピンコート法等）により、遮光膜２０９が形成された後、マイクロレンズアレイ２０４の下面に形成される。コート後の加熱処理によって、第１透明層２１０の粘性は失われる。
【００３１】
第２透明層２１１は、第１透明層２１０と同じ材料からなるレジスト層である。よって、第２透明層２１１も、検査光に対して実質的に透明である。第２透明層２１１は、互いに離間する複数のランド２１１ａを有する。ランド２１１ａは、通常のコート法（スピンコート法等）により、第１透明層２１０の下面に第２透明層２１１が形成された後、その第２透明層２１１に格子状の溝が形成されることで形成される。つまり、格子状の溝が形成されることにより、互いに分離された複数のランド２１１ａが形成されている。分離されたランド２１１ａは、ラインセンサー２０１の各画素ＰＸに対応して２次元状に配置されている。なお、ランドとは、溝により規定される島状の部分を意味する。各ランドは、互いに完全に分離されている必要はない。
【００３２】
レジスト層２１２は、ランド２１１ａを覆うように充填される。レジスト層２１２は、検査光を吸収する材料（フタロシアニン等）を含むレジスト層である。レジスト層２１２は、スピンコート法等に基づいて、ランド２１１ａを覆うように（第２透明層２１１に形成された溝を埋めるように）レジスト材料が塗布されることで形成される。そして、リソグラフィーに基づいて、マイクロレンズアレイ２０４の各レンズ２０７の集光箇所に対応する開口部ＯＰ２がレジスト層２１２に形成される。なお、開口部ＯＰ２は、ラインセンサー２０１の各画素ＰＸの配置位置にも対応する。開口部ＯＰ２は、ラインセンサー２０１の各画素ＰＸに対応して、ライン状に配置される。
【００３３】
このような撮像部２００は、指２の皮膚表面又は内部の静脈で反射された検査光が、マイクロレンズアレイ２０４のレンズ２０７を介して、ラインセンサー２０１の画素ＰＸに集光される。
【００３４】
具体的にいうと、ＬＥＤ１００ａから出射された近赤外光は、ヒトの指２に照射される。指２の内部では近赤外光は反射される。また、指２の内部の静脈で近赤外光は吸収される。一方、ＬＥＤ１００ｂから出射された可視光も、ヒトの指２に照射される。指２の皮膚表面では、可視光は反射される。
【００３５】
指２を反射した検査光は、撮像部２００に入射する。まず検査光は、バンドパスフィルタ２０５を通過する。なお、検査光以外の外乱光は、バンドパスフィルタ２０５により遮断される。バンドパスフィルタ２０５によってノイズ成分を遮断することができるため、より良質な画像を取得することができる。
【００３６】
バンドパスフィルタ２０５を通過した検査光は、マイクロレンズアレイ２０４に入射する。マイクロレンズアレイ２０４では、透明基板２０６の上面に配置された各レンズ２０７によってラインセンサー２０１の各画素ＰＸに集光される。
【００３７】
マイクロレンズアレイ２０４のレンズ２０７により集光された光は、光チャネル分離層２０３に入射する。光チャネル分離層２０３は、上述のように、ラインセンサー２０１の各画素に対応してライン状に配置された開口部ＯＰ１及び開口部ＯＰ２を備えている。また、光チャネル分離層２０３は、ラインセンサー２０１の各画素に対応してライン状に配置されたランド２１１ａを備えている。隣り合うランド２１１ａの間には、レジスト層２１２が充填されている。ランド２１１ａの下面にもレジスト層２１２が形成されている。レジスト層２１２には、検査光を吸収する顔料が含有されている。従って、レジスト層２１２に入射した検査光は、効果的にレジスト層２１２に含まれる顔料により吸収される。
【００３８】
このような構成により、光チャネル分離層２０３は、マイクロレンズアレイ２０４のレンズ２０７からラインセンサー２０１の画素ＰＸに至る光路（光チャネル）同士を分離する。そして、光チャネル間で生じうるクロストーク（混信）は抑制される。なお、検査光は、レンズ２０7から画素ＰＸに進むに従って集光されるから、開口部ＯＰ２の開口幅は、開口部ＯＰ１の開口幅よりも狭く設定されている。
【００３９】
ラインセンサー２０１の各画素に入射された光は、各画素で光電変換される。そして、画像データ（情報）として読み出され、処理部４００のアナログ／デジタル変換回路でアナログ／デジタル変換される。
【００４０】
駆動部３００は、携帯電話３の上側本体４の表面領域４ａを左右に横断する摺動部材３０１、摺動部材３０１をガイドする二本のレール部材３０２を備えている。摺動部材３０１には、図１に示すように、撮像部２００が組み込まれており、撮像部２００のラインセンサー２０１が摺動部材３０１の移動方向（図１の矢印方向）と交差する方向に配置されている。さらに、摺動部材３０１には、ライン状に並べられたＬＥＤ１００ａ、１００ｂが撮像部２００を挟み込むように組み込まれている。つまり、ＬＥＤ１００ａ、１００ｂ、及び撮像部２００は、図１に示すように、駆動部３００によってラインセンサー２０１の画素列と交差する方向に往復する。この際、撮像部２００の移動期間内に亘って前記撮像部２００で順次画像を撮像して、撮像部２００の移動範囲に対応する範囲内で画像を撮像する。このように、生体認証装置１は、画素列を移動させて画像を順次撮像するので、撮像する画像に応じた領域全域に画素を配置する必要がなく、安価に画像を撮像することができる。
【００４１】
ちなみに、摺動部材３０１は、図示を省略したモーター等の駆動装置によって往復する。例えば、レール部材３０２の外周にねじ部を形成する。摺動部材３０１にモーターを設け、このモーターの回転軸にピニオンギアを設ける。レール部材３０２のねじ部とモーターのピニオンギアとを噛合させて、モーターの駆動力によって摺動部材３０１がレール部材３０２に沿って移動する。但し、駆動部３００の構成は、この限りではなく、要するに少なくとも撮像部２００を、ラインセンサー２０１の画素列と交差する方向に移動させることができる構成であれば良い。
【００４２】
処理部４００は、画像形成部４０１、評価部４０２を備えている。画像形成部４０１は、撮像部２００からの画像データのアナログ／デジタル処理、２値化処理、及び撮像した複数枚の画像を一枚の合成画像にする等の画像処理を施し、生体情報取得画像を形成する。さらに、画像形成部４０１は、撮像した画像の位置補正の起点を見出しやすいように、ＬＥＤ１００ｂによって可視光を指２に照射して撮像部２００で撮像した皮膚表面パターン画像に画像フィルタリング処理を施す。具体的にいうと、画像形成部４０１は、図６（ａ）に示すように、撮像された皮膚表面パターン画像に、低域通過フィルタによってぼかし処理を施し、図６（ｂ）に示すように大きな特徴部分のみを抽出した皮膚表面パターン画像を形成する。本実施形態では、大きな特徴部分のみを抽出した皮膚表面パターンとして、指２の第１関節線Ｔ１及び第２関節線Ｔ２を取得する。指２の関節線は、比較的水平で且つ取得しやすいので、画像の補正の起点として良好に用いることができる。そのため、画像の補正が容易で、自己認証率を維持しつつ、認証時間を短縮できる。しかも画像の補正を容易にできるので、認証アルゴリズムの簡便化に寄与する。特に、本実施形態のように表面領域４ａが狭く、撮像できる画像が小さくても、明確に画像の補正の起点を定めることができる。そのため、詳細は後述するが静脈パターン画像を精度良く補正することができ、自己認証率を維持しつつ、認証時間を短縮できる。よって、使用者に不快感を与えることを軽減することができる。
【００４３】
評価部４０２は、予め登録されている生体情報のテンプレートと、上述のように形成した皮膚表面パターン画像との相対的な位置を評価する。つまり、テンプレートの関節線と皮膚表面パターン画像の関節線とを比較し、図６（ｂ）に示すように、皮膚表面パターン画像の関節線がテンプレートの関節線と上下左右、回転方向にどれ位、ズレが生じているかを算出する。図６（ｂ）の皮膚表面パターン画像の関節線は−θｒａｄズレが生じている。
【００４４】
認証部５００は、算出された皮膚表面パターン画像の評価結果に基づいて、皮膚表面パターン画像及びＬＥＤ１００ａによって近赤外線を指２に照射して撮像部２００で撮像した静脈パターン画像を補正する。本実施形態の撮像部２００は、ラインセンサー２０１の画素列と交差する方向に、往復する構成とされている。そのため、図７（ａ）、（ｂ）に示すように往路において、ＬＥＤ１００ｂによって可視光を指２に照射して撮像部２００で撮像した皮膚表面パターン画像から、比較部４０２は皮膚表面パターン画像のズレを算出することができる。さらに、図８（ａ）、（ｂ）に示すように復路において、ＬＥＤ１００ａによって近赤外光を指２に照射して撮像部２００で撮像した静脈パターン（図示例のＶ部分）画像を、当該算出した皮膚表面パターン画像のズレに基づいて、皮膚表面パターン画像と共に、評価部４０２が補正することができる。したがって、エリアセンサーに比べて画素数の少ないラインセンサー２０１を用いて、認証に有効な生体情報取得画像を安価に効率良く形成することができる。
【００４５】
そして、認証部５００は、図９に示すように、補正した皮膚表面パターン画像と静脈パターン画像とを合成し、この合成画像を、記憶部６００に格納された生体情報のテンプレートと比較して認証する。静脈パターン画像だけでなく、皮膚表面パターン画像も認証のために用いることができるので、所謂なりすましを良好に排除することができる。なお、認証部５００による具体的な認証方法は任意である。生体認証の方法は、パターンの類似性を判別する各種方法に依存する。
【００４６】
記憶部６００は、生体認証を実現するためのプログラム、画像形成を実現するためのプログラム、生体情報のテンプレート、及び認証履歴といった情報を格納している。ちなみに、本実施形態の生体情報のテンプレートは、大きな特徴部分のみを抽出した皮膚表面パターン画像と静脈パターン画像との合成テンプレートである。このテンプレートは、皮膚表面パターン画像の大きな特徴部分、すなわち関節線が略水平に配置され、補正工程の簡便化を図っている。
【００４７】
このような構成の生体認証装置１は、比較的起点を取りやすい皮膚表面パターン画像を用いて静脈パターン画像を補正するので、静脈パターン画像の補正が容易で、認証アルゴリズムの簡便化に寄与する。
【００４８】
上述の生体認証装置１を用いて、本実施形態の生体認証方法は、以下のように実施される。
先ず、図１０に示すように、駆動部３００の摺動部材３０１を移動させて、ＬＥＤ１００ｂによって可視光を指２に照射して撮像部２００で、図６（ａ）に示すような皮膚表面パターン画像を撮像する（Ｓ１）。撮像部２００は、撮像した画像データを処理部４００の画像形成部４０１に出力する。
【００４９】
画像形成部４０１は、入力された画像データに２値化処理等を施した後に、さらに低域通過フィルタによってぼかし処理を施し、図６(ｂ)に示すように、大きな特徴部分のみを抽出した皮膚表面パターン画像を形成する（Ｓ２）。そして、画像形成部４０１は、形成した皮膚表面パターン画像を評価部４０２に出力する。なお、本実施形態では、大きな特徴部分のみを抽出した皮膚表面パターンとして、指２の第１関節線Ｔ１及び第２関節線Ｔ２を取得する。指２の関節線は、比較的水平で且つ取得しやすいので、画像の補正の起点として良好に用いることができる。そのため、画像の補正が容易で、自己認証率を維持しつつ、認証時間を短縮できる。しかも、画像の補正が容易であるので、認証アルゴリズムの簡便化に寄与する。特に、本実施形態のように表面領域４ａが狭く、撮像できる画像が小さくても、明確に画像の補正の起点を定めることができる。そのため、静脈パターン画像を精度良く補正することができ、自己認証率を向上させることができる。よって、使用者に不快感を与えることを軽減することができる。
【００５０】
次に、評価部４０２は、予め登録されている生体情報のテンプレートと、上述のように形成した皮膚表面パターン画像との相対的な位置を比較する。例えば、テンプレートの第１関節線及び第２関節線にそれぞれ二つの基準点をとり、この二つの基準点を結ぶ基準線Ｌ１、Ｌ２を定める。一方、形成した皮膚表面パターン画像の第１関節線Ｔ１及び第２関節線Ｔ２にもそれぞれ、テンプレートと同様に二つの基準点をとり、この二つの基準点を結ぶ基準線Ｌ３、Ｌ４を定める。そして、テンプレートの基準線Ｌ１と皮膚表面パターン画像の基準線Ｌ３、及びテンプレートの基準線Ｌ２と皮膚表面パターン画像の基準点Ｌ４とを比較して、皮膚表面パターン画像のテンプレートに対する上下左右、回転方向のズレを算出する。図６（ｂ）の皮膚表面パターン画像の関節線は−θｒａｄズレが生じている。さらに、評価部４０２は、このテンプレートと皮膚表面パターン画像とのズレからテンプレートに対する皮膚表面パターン画像のズレが補正できる範囲か否かを評価する（Ｓ３）。但し、皮膚表面パターン画像のテンプレートに対するズレの算出方法は、上記の限りでなく、既に公知の方法を採用することができる。
【００５１】
皮膚表面パターン画像のズレが大きく、補正が不可能な場合は、再度、駆動部３００の摺動部材３０１を移動させて、ＬＥＤ１００ｂによって可視光を指２に照射して撮像部２００で皮膚表面パターン画像を撮像する工程（Ｓ１）に戻る。この際、携帯電話３の上側本体４の表示領域４ｂに、エラーメッセージと、再度、皮膚表面パターン画像を撮像する際に指２をどの位置に配置し直すかの矢印が表示されることが好ましい。皮膚表面パターン画像の形成を複数回、失敗することを防ぎ、認証時間を短縮できて使用者に不快感を与えない。
上記の工程を補正できる範囲の皮膚表面パターン画像が形成できるまで繰り返す。
【００５２】
形成した皮膚表面パターン画像が補正できる範囲の場合は、駆動部３００の摺動部材３０１を移動させて、ＬＥＤ１００ａによって近赤外光を指２に照射して撮像部２００で静脈パターン画像を撮像する（Ｓ４）。このとき、画像形成部４０１は、入力された画像データを２値化処理する等して静脈パターン画像を形成する。なお、本実施形態の撮像部２００は、ラインセンサー２０１の画素列と交差する方向に、往復する構成とされている。そのため、図７（ａ）、（ｂ）に示すように往路において、ＬＥＤ１００ｂによって可視光を指２に照射して撮像部２００で撮像した皮膚表面パターン画像から、評価部４０２は皮膚表面パターン画像のズレを算出することができる。さらに、図８（ａ）、（ｂ）に示すように復路において、ＬＥＤ１００ａによって近赤外光を指２に照射して撮像部２００で撮像した静脈パターン画像を、当該算出した皮膚表面パターン画像のズレに基づいて、皮膚表面パターン画像と共に、評価部４０２が補正することができる。したがって、エリアセンサーに比べて画素数の少ないラインセンサー２０１を用いて、安価に認証に有効な生体情報取得画像を効率良く形成することができる。ちなみに、生体情報取得画像とは、皮膚表面パターン画像、静脈パターン画像をいう。
【００５３】
次に認証部５００は、算出された皮膚表面パターン画像のズレに基づいて、皮膚表面パターン画像を補正する（Ｓ５）。さらに認証部５００は、算出された皮膚表面パターン画像のズレに基づいて、静脈パターン画像を補正する（Ｓ６）。そして、認証部５００は、図９に示すように、補正した皮膚表面パターン画像と静脈パターン画像とを合成する（Ｓ７）。
【００５４】
最後に認証部５００は、記憶部６００に格納された生体情報のテンプレートと、合成した合成画像とを比較して認証する（Ｓ８）。静脈パターン画像だけでなく、皮膚表面パターン画像も認証のために用いることができるので、所謂なりすましを良好に排除することができる。
【００５５】
このような生体認証方法は、比較的起点を取りやすい皮膚表面パターン画像を用いて静脈パターン画像を補正するので、補正が容易で、自己認証率を維持しつつ、認証時間を短縮できる。しかも補正が容易であるので、認証アルゴリズムの簡便化に寄与する。
【００５６】
＜実施形態２＞
上記実施形態１では、皮膚表面パターン画像のテンプレートに対するズレを算出した後に、静脈パターン画像を撮像しているが、この限りでない。
【００５７】
すなわち、図１１にフローチャートで示すように、皮膚表面パターン画像のテンプレートに対するズレを算出する前に、静脈パターン画像を撮像しても良い。具体的にいうと、ＬＥＤ１００ｂによって指２に可視光を照射して撮像部２００で皮膚表面パターン画像を撮像する（Ｓ１０）。次に、ＬＥＤ１００ａによって指２に近赤外光を照射して撮像部２００で静脈パターン画像を撮像する（Ｓ２０）。このとき、本実施形態の撮像部２００も、ラインセンサー２０１の画素列と交差する方向に、往復する構成とされていることが好ましい。これにより、往路において、撮像部２００で皮膚表面パターン画像を撮像し、復路においては、撮像部２００で静脈パターン画像を撮像することができる。したがって、エリアセンサーに比べて画素数の少ないラインセンサー２０１を用いて、効率良く生体情報取得画像を安価に形成することができる。
【００５８】
次に、処理部４００の画像形成部４０１によって、皮膚表面パターン画像から大きな特徴部分のみを抽出した皮膚表面パターン画像を形成する（Ｓ３０）。そして、評価部４０２によって、予め登録されている生体情報のテンプレートと、上述のように形成した皮膚表面パターン画像との相対的な位置を比較して相互のズレを算出し、このズレが補正できる範囲か否かを評価する（Ｓ４０）。皮膚表面パターン画像のズレが大きく、補正が不可能な場合は、再び、皮膚表面パターン画像を撮像するＳ１０の工程に戻る。この際、本実施形態でも、携帯電話３の上側本体４の表示領域４ｂに、エラーメッセージと、再度、皮膚表面パターン画像を形成する際に指２をどの位置に配置し直すかの矢印が表示されることが好ましい。皮膚表面パターン画像の形成を複数回、失敗することを防ぎ、認証時間を短縮できて使用者に不快感を与えない。
上記の工程を補正ができる範囲の皮膚表面パターン画像が形成できるまで繰り返す。
【００５９】
形成した皮膚表面パターン画像が補正できる範囲の場合は、評価部４０２は、形成した皮膚表面パターン画像と静脈パターン画像とを合成する（Ｓ５０）。そして、評価部４０２は、算出された皮膚表面パターン画像のズレに基づいて、合成画像を補正し（Ｓ６０）、記憶部６００に格納された生体情報のテンプレートと、合成した合成画像とを比較して認証する（Ｓ７０）。このような生体認証方法でも、比較的起点を取りやすい皮膚表面パターン画像を用いて静脈パターン画像を補正するので、画像の補正が容易で、自己認証率を維持しつつ、認証時間を短縮できる。しかも、画像の補正が容易であるので、認証アルゴリズムの簡便化に寄与する。特に、本実施形態のように表面領域４ａが狭く、撮像できる画像が小さくても、明確に画像の補正の起点を定めることができる。そのため、静脈パターン画像を精度良く補正することができ、自己認証率を向上させることができる。
【００６０】
なお、静脈パターン画像の明るさなどの条件設定のために、皮膚表面パターン画像のテンプレートに対するズレを算出する前に、静脈パターン画像を撮像し、皮膚表面パターン画像のテンプレートに対するズレを算出した後に、再度、静脈パターン画像を撮像しても良い。これにより、最初に撮像した静脈パターン画像の明るさなどを評価して、この評価結果に基づいて、再度、静脈パターン画像を撮像する際のＬＥＤ１００ａの指２に対する光の光量などを制御して、認証に有効な静脈パターン画像を撮像することができる。
【００６１】
＜実施形態３＞
上記実施形態１、２では、撮像部２００の一方向（往路又は復路）の移動で皮膚表面パターン画像又は静脈パターン画像を撮像しているが、撮像部２００の一方向の移動で皮膚表面パターン画像と静脈パターン画像とを一度に撮像しても良い。
【００６２】
すなわち、図１２（ａ）、（ｂ）に示すように、撮像部２００は往路又は復路の一方向の移動において、指２の側部近傍区間Ｎ１には、ＬＥＤ１００ｂによって可視光を照射して皮膚表面パターン画像を撮像する。この場合、指２の全ての横断領域の皮膚表面パターン画像を撮像することができないが、上述のように基準線を定めることができる程度で、皮膚表面パターン画像を撮像できれば良い。
【００６３】
そして、指の他の区間Ｎ２には、ＬＥＤ１００ａによって近赤外光を照射して静脈パターン画像を撮像する。この場合も、指２の全ての横断領域の静脈パターン画像を撮像することができないが、静脈パターンＶは指２の中央部分に集中しているため、認証に必要な静脈パターンを取得することができる。
【００６４】
このように撮像部２００の一方向の移動で、一度に皮膚表面パターン画像と静脈パターン画像とを撮像するので、迅速に且つ効率良く認証に有効な画像を撮像することができる。したがって、認証時間を短縮できる。
【００６５】
＜実施形態４＞
上記実施形態１〜３では、駆動部３００の摺動部材３０１がモーター等の駆動装置によって往復しているが、この限りでない。
【００６６】
すなわち、本実施形態の生体認証装置１０００は、図１３に示すように、ベース板（ベース部材）３００１（３００１ａ〜３００１ｃ）、キャリア部材３００５（３００５ａ〜３００５ｋ）、収納部材３００７を備えている。なお、ベース板３００１、キャリア部材３００５、収納部材３００７は、いずれも樹脂材料からなる。また、生体認証装置１０００は、レール部材（ガイド部材）３００３（３００３ａ、３００３ｃ）、緩衝部材３００４（３００４ａ〜３００４ｄ）、ばね３００６（３００６ａ〜３００６ｄ）、ＬＥＤ１００ａ、ＬＥＤ１００ｂ、撮像部２００を備えている。なお、撮像部２００には、上述のようにラインセンサー２０１、光学機能部２０２を備えている。また、生体認証装置１０００は、図示は省略したが、収納部材３００７の上面にカバー板を備えている。
【００６７】
はじめに図１５を参照して説明する。図１５に示すように、ベース板３００１は、上面視形状が略Ｕ字状の板状部材であって、連結部３００１ａ、左平板部３００１ｂ、右平板部３００１ｃを備えている。ベース板３００１は、ネジ又は接着剤等の固着手段によって携帯電話３の筐体内の基板に固定されている。
【００６８】
左平板部３００１ｂ及び右平板部３００１ｃは、ｘ軸（図１の左右方向）に沿って互いに平行に延在する。連結部３００１ａは、ｘ軸に対して直交するｙ軸（図１の上下方向）に沿って延在する。左平板部３００１ｂと右平板部３００１ｃとは、連結部３００１ａによって互いの上端部分が連結されている。左平板部３００１ｂと右平板部３００１ｃとの間には開口が形成されている。
【００６９】
ベース板３００１は、４隅に４つの支持部３００２（３００２ａ〜３００２ｄ）を備えている。支持部３００２ａは、左平板部３００１ｂの上端に形成されている。支持部３００２ｂは、左平板部３００１ｂの下端に形成されている。支持部３００２ｃは、右平板部３００１ｃの上端に形成されている。支持部３００２ｄは、右平板部３００１ｃの下端に形成されている。なお、支持部３００２ａ〜３００２ｄは、ベース板３００１に一体成型されている。なお、支持部３００２ａ〜３００２ｄをベース板３００１とは別個の部材とし、支持部３００２ａ〜３００２ｄをベース板３００１に固着させても良い。
【００７０】
支持部３００２ａは、幅広部３００２ａ１、幅狭部３００２ａ２を備えている。幅広部３００２ａ１は、幅狭部３００２ａ２よりも内側に形成され、幅狭部３００２ａ２よりもｘ軸に沿う幅が広い。なお、支持部３００２ａについてした説明は、他の支持部３００２ｂ乃至３００２ｄについても当てはまるため重複する説明は省略する。
【００７１】
レール部材３００３は、互いに対向する支持部３００２間で機械的に保持されている。レール部材３００３は、棒状の金属からなり、キャリア部材３００５の移動を案内する。キャリア部材３００５の移動を円滑にさせるため、レール部材３００３に潤滑油を付着させても良い。
【００７２】
レール部材３００３ａは、互いに対向する支持部３００２ａと支持部３００２ｂとの間に架けられている。レール部材３００３ａは、その上端が支持部３００２ａに固着され、その下端が支持部３００２ｂに固着されている。レール部材３００３ｃは、互いに対向する支持部３００２ｃと支持部３００２ｄとの間に架けられている。レール部材３００３ｃは、その上端が支持部３００２ｃに固着され、その下端が支持部３００２ｄに固着されている。
【００７３】
緩衝部材３００４ａは、支持部３００２ａの幅狭部３００２ａ２の内側面上に配置されている。緩衝部材３００４ａは、ゴム、スポンジ等の弾性を有する材料からなる。緩衝部材３００４ａの内側面をキャリア部材３００５の側面に接触可能にすることで、移動してくるキャリア部材３００５が幅広部３００２ａ１に与える衝撃を緩和させることができる。このように、緩衝部材３００４ａを衝撃吸収部材として機能させることによって、より機械的又は構造的に安定してキャリア部材３００５の移動を停止させることができる。この説明は、他の緩衝部材３００４ｂ乃至３００４ｄ、及び幅広部３００２ｂ乃至３００２ｄについても同様に当てはまる。
【００７４】
次に図１６を参照して説明する。図１６（ａ）に示すように、キャリア部材３００５は、上面視形状がＵ字状の部材であり、左部分３００５ｉ、中央部３００５ｊ、右部分３００５ｋを備えている。左部分３００５ｉ及び右部分３００５ｋは、共にｘ軸に沿って実質的に平行に延在する。中央部３００５ｊは、ｙ軸に沿って延在し、左部分３００５ｉ及び右部分３００５ｋ夫々の上端部分を連結させている。
【００７５】
キャリア部材３００５は、厚板部３００５ａ乃至３００５ｇ、及び薄板部３００５ｈを備えている。厚板部３００５ａ乃至３００５ｇで囲まれた空間に収納部材３００７が収納されている。収納部材３００７の下面は、薄板部３００５ｈの上面に接着剤によって接着されている。このようにして、キャリア部材３００５内には収納部材３００７が固着されている。
【００７６】
図１６（ｂ）に図１６（ａ）のＹ１−Ｙ１間のキャリア部材３００５の断面構成を示す。図１６（ｂ）に示すように、キャリア部材３００５は、厚板部３００５ｂにレール部材３００３ａが挿通される孔を有し、この孔にレール部材３００３ａが挿入されている。なお、厚板部３００５ｂの孔にレール部材３００３ａが挿入されたとき、キャリア部材３００５がレール部材３００３ａに沿って移動可能な程度の遊びの空間が保たれるものとする。また、キャリア部材３００５の厚板部３００５ｂの外側面には、ばね３００６を部分的に収納する孔が設けられている。
【００７７】
図１６（ｃ）に図１６（ａ）のＹ２−Ｙ２間のキャリア部材３００５の断面構成を示す。図１６（ｃ）に示すように、キャリア部材３００５は、厚板部３００５ｅにレール部材３００３ｃが挿通される孔を有し、この孔にレール部材３００３ｃが挿入されている。図１６（ｃ）の説明と同様に、この場合も遊びの空間が保たれる。また、キャリア部材３００５の厚板部３００５ｅの外側面には、ばね３００６を部分的に収納する孔が設けられている。
【００７８】
なお、厚板部３００５ｂ、３００５ｅには、各ばね３００６の内端が取り付けられている。従って、厚板部３００５ｂ、３００５ｅは、厚板部３００５ａ、３００５ｃ、３００５ｄ、３００５ｆよりも外側に突出する。厚板部３００５ａ、３００５ｃ、３００５ｄ、３００５ｆ夫々も、同様に、レール部材３００３が挿通される孔を備えている。
【００７９】
図１３に戻って説明する。
図１３に示すように、ばね３００６ａの外端（上端）は支持部３００２ａに固着され、その内端（下端）はキャリア部材３００５の厚板部３００５ｂに固着されている。ばね３００６ｂの外端（下端）は支持部３００２ｂに固着され、その内端（上端）はキャリア部材３００５の厚板部３００５ｂに固着されている。ばね３００６ｃの外端（上端）は支持部３００２ｃに固着され、その内端（下端）はキャリア部材３００５の厚板部３００５ｅに固着されている。ばね３００６ｄの外端（下端）は支持部３００２ｄに固着され、その内端（上端）はキャリア部材３００５の厚板部３００５ｅに固着されている。なお、コイルの取り付け方法は任意である。例えば、コイルの先端をフック状にし、これを厚板部又は支持部に引っ掛ける構造を採用しても良い。
【００８０】
本実施形態においては、ばね３００６ａ、３００６ｃは、Ti-Ni系又はTi-Ni-Cu系の線状の合金（形状記憶合金）がコイル状に巻かれたコイル部材である。また、本実施形態では、パルス変調された電流をばね３００６ａ、３００６ｃに印加する。ばね３００６ａ、３００６ｃは抵抗として機能し、流れる電流量に応じて発熱する。ばね３００６ａ、３００６ｃが所定の温度以上になると、ばね３００６ａ、３００６ｃは収縮する。
【００８１】
これによって、図１３及び図１４に示すように、キャリア部材３００５を下から上へ移動させることができる。キャリア部材３００５には、収納部材３００７を介して、撮像部２００が実装されている。キャリア部材３００５の移動に伴って撮像部２００が移動する。キャリア部材３００５の移動期間内に亘って撮像部２００で順次画像を撮像することによって、撮像部２００の移動範囲に対応する範囲内で画像を撮像することができる。このようにして、画素数が少ない撮像部２００で認証に有効な画像を撮像することができる。
【００８２】
ばね３００６ｂ、３００６ｄは、金属線を巻いて形成した通常のつるまきばねである。従って、ばね３００６ａ、３００６ｃにパルス電流が印加されていない場合、キャリア部材３００５はばね３００６ｂ、３００６ｄの引っ張り力に従って、図１３の位置にある。すなわち、通常時、キャリア部材３００５は、ばね３００６ｂ、３００６ｄが固着された支持部３００２ｂ、３００２ｄ寄りに位置する。生体情報取得時、ばね３００６ａ、３００６ｃに対するパルス電流の印加に伴って、キャリア部材３００５は支持部３００２ｂ、３００２ｄから支持部３００２ａ、３００２ｃ寄りへ移動する。
【００８３】
なお、パルス電流印加に伴うばね３００６ａ、３００６ｃの引っ張り力は、ばね３００６ａ、３００６ｃの引っ張り力に比して十分に大きい。従って、比較的短時間にキャリア部材３００５を図１３から図１４の状態にまで移動させることができる。なお、ここでは、形状記憶合金の金属線をコイル状に巻くことによって、その引っ張り力を増大させている。
【００８４】
このように、ばね３００６ａ、３００６ｃにパルス電流を流すことのみによってキャリア部材３００５を移動させることができるため、他の駆動装置（例えば、モーター等の駆動装置）に比べて、騒音が発生しない、振動が発生しない、及び消費電流を低くすることができるといったメリットがある。しかも、モーター等の駆動装置の配置スペースを省略することができるので、生体認証装置を小型化することができる。
【００８５】
なお、ばね３００６ａ、３００６ｃに流す電流は、直流、単純交流の電流であっても良い。但し、パルス変調した電流をばね３００６ａ、３００６ｃに流すことによって、流れる電流量を比較的精度よく調整することができる。
【００８６】
また、図１４から図１３の状態に戻す場合には、ばね３００６ａ、３００６ｃへのパルス電流の供給を停止すれば良い。キャリア部材３００５は、ばね３００６ｂ、３００６ｄの引っ張り力に従って、図１４から図１３の位置へ自然に移動する。ばね３００６ａ、３００６ｃは加熱されなければ実効的なばね作用を奏さない。
【００８７】
＜実施形態５＞
上記実施形態１〜４は、ＬＥＤ１００ａ、１００ｂを光が上方に向かって出射するように摺動部材３０１に設けているが、この限りでない。
【００８８】
すなわち、図１７（ａ）、（ｂ）に示すような光源部７００を摺動部材３０１に設けても良い。光源部７００は、下面にプリズム７０１ａが形成されたライトガイド（導光路）７０１、ライトガイド７０１の下方に配置された反射シート７０２、ライトガイド７０１の一方の側部に設けられたＬＥＤ１００ａ、ライトガイド７０１の対峙する他方の側部に設けられたＬＥＤ１００ｂを備えている。このような光源部７００は、ライトガイド７０１の出射面からの光の出射角が、良好に上方に向かって出射されるようにプリズム７０１ａによって調整される。また、ＬＥＤ１００ａから出射される近赤外光及びＬＥＤ１００ｂから出射される可視光の指向角は、撮像部２００の長手方向で小さい方が良い。そのため、ＬＥＤ１００ａ、１００ｂは、例えば光の指向角が±５０°（±（２π／３６０）×５０ｒａｄ）以下、好ましくは±２５°（±（２π／３６０）×２５ｒａｄ）以下となるＬＥＤを用いると良い。ちなみに、ライトガイド７０１の出射面からの光の出射角は、撮像部２００の短手方向では特に規定されない。そのため、ライドガイド７０１の設置角又は光の出射角を撮像部２００の長手方向に対して時計回り、又は反時計回りに傾けても良い。この場合、ライトガイド７０１の出射面からの光が直接に、撮像部２００に入射しないように、ライトガイド７０１の出射面が撮像部２００より高い位置に配置されていることが好ましい。
【００８９】
このような光源部７００を用いると、ＬＥＤ１００ａ、１００ｂの個数を少なくすることができるので、コストや消費電力の削減、発生する熱量の軽減に寄与する。
【００９０】
本実施形態では、一つのライトガイド７０１の対峙する側部にＬＥＤ１００ａとＬＥＤ１００ｂとを設けたが、この限りでない。すなわち、図１８に示すように、二つのライトガイド７０３、７０４を撮像部２００と平行に配置し、一方のライトガイド７０３の側部にＬＥＤ１００ａを設け、他方のライトガイド７０４の側部にＬＥＤ１００ｂを設けても良い。
要するに、表面領域４ａから検査光を出射することができるようにＬＥＤ１００ａ、１００ｂが配置されていれば良い。
【００９１】
＜実施形態６＞
上記実施形態１〜５では、撮像部２００にラインセンサー２０１を用い、ラインセンサー２０１を駆動部３００によって移動させているが、撮像部２００としてエリアセンサーを用いても良い。
【００９２】
上記実施形態１〜５では、光源部１００（７００）にＬＥＤ１００ａ、１００ｂを用いたが、この限りでない。すなわち、光源部１００（７００）は、例えば多波長光源を用いても、光源とフィルタとを組み合わせて可視光と近赤外光とを出射できる構成であっても良い。要するに、光源部１００は、撮像部２００が皮膚表面パターン画像及び静脈パターン画像を撮像できるように、被検体に光を照射できれば良い。
【００９３】
上記実施形態１〜５では、皮膚表面パターン画像及び静脈パターン画像をテンプレートに合わせるように補正しているが、テンプレートを皮膚表面パターン画像及び静脈パターン画像に合わせるように補正しても良い。
【００９４】
以上に、本発明に係る生体認証装置及び生体認証方法、並びに生体認証装置を備えた電子機器の実施形態を説明したが、本発明の要旨を逸脱しない範囲で、種々の変更が可能である。
【図面の簡単な説明】
【００９５】
【図１】本発明の実施形態１に係る携帯電話の前面の構成を示す模式図である。
【図２】本発明の実施形態１に係る携帯電話の構成を示す模式図である。
【図３】本発明の実施形態１に係る生体認証装置のブロック図である。
【図４】撮像部の概略的な断面図である。
【図５】画素とレンズとの配置関係を示す平面図である。
【図６】（ａ）は撮像した皮膚表面パターン画像である。（ｂ）は大きな特徴部分を抽出した皮膚表面パターン画像である。
【図７】（ａ）は指に対する摺動部材の移動方向を示す模式図である。（ｂ）は撮像した皮膚表面パターン画像である。
【図８】（ａ）は指に対する摺動部材の移動方向を示す模式図である。（ｂ）は撮像した静脈パターン画像である。
【図９】補正した皮膚表面パターン画像と静脈パターン画像との合成画像である。
【図１０】本発明の実施形態１に係る生体認証方法のフローチャートである。
【図１１】本発明の実施形態２に係る生体認証方法のフローチャートである。
【図１２】（ａ）は本発明の実施形態３での皮膚表面パターン画像を撮像する範囲を示す模式図である。（ｂ）は本発明の実施形態３での静脈パターン画像を撮像する範囲を示す模式図である。
【図１３】本発明の実施形態４に係る生体認証装置の上面構成を示す概略的な模式図である。
【図１４】本発明の実施形態４に係る移動後の生体認証装置の上面構成を示す概略的な模式図である。
【図１５】本発明の実施形態４に係る生体認証装置のベース部分の構成を示す概略的な模式図である。
【図１６】（ａ）は本発明の実施形態４に係る生体認証装置に含まれる収納部材の構成を示す概略的な模式図である。（ｂ）は（ａ）のＹ１−Ｙ１断面図である。（ｃ）は（ａ）のＹ２−Ｙ２断面図である。
【図１７】（ａ）は本発明の実施形態５に係る生体認証装置の光源部及び撮像部を概略的に示す平面図である。（ｂ）は（ａ）の光源部分のみを概略的に示すＡ−Ａ断面図である。
【図１８】本発明の実施形態５に係る異なる生体認証装置の光源部及び撮像部を概略的に示す平面図である。
【符号の説明】
【００９６】
１  生体認証装置
２  指（被検体）
３  携帯電話
１００  光源部
１００ａ  第１の光源（ＬＥＤ）
１００ｂ  第２の光源（ＬＥＤ）
２００  撮像部
３００  駆動部
４００  処理部
４０２  評価部
５００  認証部
１０００  生体認証装置
【図１】
2010015365.tif 000003
【図２】
2010015365.tif 000004
【図３】
2010015365.tif 000005
【図４】
2010015365.tif 000006
【図５】
2010015365.tif 000007
【図６】
2010015365.tif 000008
【図７】
2010015365.tif 000009
【図８】
2010015365.tif 000010
【図９】
2010015365.tif 000011
【図１０】
2010015365.tif 000012
【図１１】
2010015365.tif 000013
【図１２】
2010015365.tif 000014
【図１３】
2010015365.tif 000015
【図１４】
2010015365.tif 000016
【図１５】
2010015365.tif 000017
【図１６】
2010015365.tif 000018
【図１７】
2010015365.tif 000019
【図１８】
2010015365.tif 000020